(57)【要約】【課題】光刺激により起床を促す機能を有する照明装置において、ランプが寿命末期などで不点灯になった場合でも、就寝者を目覚めさせることができる。【解決手段】照明装置１は、点灯回路２と、照明光、音源制御部３とを備える。点灯回路２は、照明光を出力するランプ２１と、ランプ２１に高周波電圧を供給するインバータ部２２と、インバータ部２２を制御してランプ２１の光出力を設定時刻に低照度から高照度へ上昇させるインバータ制御部２３とを有している。照明光、音源制御部３は、ランプ２１の光出力の制御に関連して音を出力する音源出力部３２を有している。音源出力部３２は、ランプ２１が不点灯の場合でも設定時刻との関連をもって動作する。これにより、ランプ２１が寿命末期などで設定時刻に点灯しない場合でも、音源出力部３２から設定時刻との関連をもって音が出力される。【選択図】図１
2006269092.tif 000002
【特許請求の範囲】
【請求項１】
ランプの光出力を設定時刻に低照度から高照度へ上昇させる制御手段を有した点灯装置と、前記点灯装置のランプの光出力の制御に関連して音を出力する音源出力部と、を備えた照明装置において、
前記制御手段による前記ランプが不点灯の場合でも設定時刻との関連をもって前記音源出力部が動作するようにしたことを特徴とする照明装置。
【請求項２】
前記ランプの不点灯を検出するランプ異常検出部をさらに備え、
前記音源出力部は、前記ランプ異常検出部の出力を基に前記ランプが不点灯の場合に音を出力することを特徴とする請求項１に記載の照明装置。
【請求項３】
前記ランプ異常検出部は、前記ランプからの光出力を検出して前記ランプの不点灯を検出し、
前記ランプ異常検出部及び前記音源出力部は、前記ランプの点灯、又は消灯を遠隔操作するためのリモコン送信器に設けられていることを特徴とする請求項２に記載の照明装置。
【請求項４】
前記音源出力部は、前記ランプが不点灯の場合に、前記ランプが正常点灯する場合に出力予定の音量よりも大きい音量で音を出力することを特徴とする請求項２又は請求項３に記載の照明装置。
【請求項５】
前記音源出力部は、前記ランプが不点灯の場合に、前記ランプが正常点灯する場合に出力予定の音の出力時間よりも長く音を出力することを特徴とする請求項２又は請求項３に記載の照明装置。
【請求項６】
ランプの光出力を設定時刻に上昇させることに関連して他機器の動作を制御する照明装置において、
前記ランプが不点灯の場合でも前記他機器が動作するようにしたことを特徴とする照明装置。
【請求項７】
請求項１乃至請求項６のいずれかに記載の照明装置を有してなる照明器具。
【発明の詳細な説明】
【技術分野】
【０００１】
本発明は、照明の光刺激により起床を促す機能を有する照明装置、及び照明装置を有してなる照明器具に関するものである。
【背景技術】
【０００２】
従来から、一般照明器具の中には、照明の光刺激により就寝者の生理状態を深い眠りから浅い眠りに移行させ、容易に就寝者の起床を促すことを目的とした照明器具が商品化されている。
【０００３】
この種の照明器具は、図１２に示す構成のものが知られている（例えば特許文献１参照）。この照明器具６０は、照明の光刺激により、就寝者を気持ちよく目覚めさせることを可能とする照明制御プログラムを内蔵しており、放電灯（例えば、環形蛍光灯、２重環形蛍光灯、直管蛍光灯等）６４ａ、６４ｂと、電球（例えば、白熱球、ハロゲン球、クリプトン球等）６７ａ、６７ｂ、６７ｃと、商用電源６１から得られる交流電圧を直流電圧に変換する整流平滑部６２と、整流平滑部６２の直流電圧出力を交流の高周波電圧に変換して放電灯６４ａ、６４ｂに供給するインバータ部６３と、インバータ部６３を制御するインバータ制御部６５と、電球６７ａ、６７ｂ、６７ｃの出力を制御する電球制御部６６と、タイマ機能（時計）を有するリモコン送信器７０と、リモコン送信器７０からの送信信号（点灯、調光、消灯命令等）を受光する受光部６９からの出力を受けてインバータ制御部６５及び電球制御部６６に制御信号を送信する制御部８から構成される。
【０００４】
この照明器具６０は、図１３に示すように動作する。まず、就寝前などに、リモコン送信器７０のタイマで予め起床時刻などをセットしておく。これにより、起床時刻の一定時間前（例えば３０分前）になると、リモコン送信器７０から受光部６９にリモコン信号が送信される。受光部６９がリモコン信号を受信すると（図１３（ｄ））、まず、電球６７ａ、６７ｂ、６７ｃが点灯を開始する（図１３（ｂ））。このとき、電球６７ａ、６７ｂ、６７ｃの照度は、低照度から高照度へと時間の経過と共に徐々に高くなっていき、これにより、照明器具６０の照度は、低照度から高照度へと時間の経過と共に徐々に高くなっていく（図１３（ａ））。このような照明器具６０の照度変化により、就寝者は、深い睡眠状態から浅い睡眠状態へと導かれる。そして、起床時刻になると、電球６７ａ、６７ｂ、６７ｃが消灯して（図１３（ｂ））、放電灯６４ａ、６４ｂが点灯し（図１３（ｃ））、照明器具６０の照度は、高照度（通常点灯の照度）に保たれる（図１３（ａ））。これにより、就寝者は、睡眠から目覚めへと導かれる。電球６７ａ、６７ｂ、６７ｃが消灯して放電灯６４ａ、６４ｂが点灯することにより、省エネルギーとなる。
【０００５】
このように、照明器具６０によれば、照明の光刺激によって、就寝者を目覚めさせることが可能である。また、照明器具６０は、リモコン送信器７０に目覚まし時計の機能を有しており、照明の光刺激に加えて、目覚まし時計機能の音刺激によっても、就寝者を目覚めさせることが可能にもなっている。
【０００６】
また、同種の照明器具として、図１４に示す構成のものも知られている。図１４に示す照明器具８０は、リモコン送信器８１からリモコン受光部８２に起床時刻のデータを送信し、その起床時刻の一定時刻前になると、制御部８３による制御のもと、点灯回路８４によりランプ８５を低照度で点灯開始して、その後、徐々にランプ８５の光出力を増加し、そして、起床時刻付近になると、音源出力部８６から音を出力し、リラックスできるような雰囲気を演出して、就寝者を目覚めさせるようになっている。
【特許文献１】特開２０００−３４８８７５号公報
【発明の開示】
【発明が解決しようとする課題】
【０００７】
ところで、一般に、照明器具は、ランプの寿命末期に、点灯回路への過大なストレスの印加やランプの異常加熱を防ぐために、ランプの光出力を抑制あるいは停止させている。従って、このような一般的な照明器具において、就寝者を目覚めさせることをランプの光刺激のみに頼った構成としたのでは、ランプの寿命末期などの異常時に、ランプの光出力が抑制あるいは停止されるため、就寝者が心地よく覚醒に向かうどころか、就寝者が所望の時刻に目覚めることさえできない。
【０００８】
また、上述の図１４に示す構成の照明器具８０においては、ランプ８５が寿命末期などで不点灯となったときに制御電源を遮断して発振停止するような回路構成では、ランプ８５が寿命末期などで不点灯となった場合に、音源出力部８６による音の出力も遮断されてしまい、ランプ８５による光刺激、音源出力部８６による音刺激ともに機能しなくなり、就寝者を目覚めさせることができなくなってしまう。また、音源出力部８６の音出力をオフ設定にしていた場合には、ランプ８５の点灯、不点灯に関わらず、音刺激は機能しなくなってしまう。
【０００９】
また、上述の図１２、図１３に示す構成の照明器具６０においては、リモコン送信器７０が目覚まし時計の機能を有しているため、ランプ（放電灯６４ａ、６４ｂや電球６７ａ、６７ｂ、６７ｃ）が寿命末期などで不点灯となった場合でも、リモコン送信器７０の目覚まし時計の機能は有効に動作し、この目覚まし時計の機能による音刺激により、就寝者を目覚めさせることができなくなるという事態を回避することは可能になる。しかし、音刺激を好まず、目覚まし時計の機能がオフ設定されていた場合には、ランプが不点灯にも関わらず、目覚まし時計の機能による音刺激も機能しないため、就寝者を目覚めさせることができなくなってしまう。また、リモコン送信器７０に通常の照明制御の機能に加え、時計手段、音源出力手段などが必要となるため、リモコン送信器７０の大型化に繋がり、さらには、音源出力手段のために電池寿命も短くなってしまう。
【００１０】
本発明は、上記課題を解決するためになされたものであり、ランプが寿命末期などで不点灯になった場合でも、就寝者を目覚めさせることができる照明装置、及び照明装置を有してなる照明器具を提供することを目的とする。
【課題を解決するための手段】
【００１１】
上記目的を達成するために請求項１の発明は、ランプの光出力を設定時刻に低照度から高照度へ上昇させる制御手段を有した点灯装置と、点灯装置のランプの光出力の制御に関連して音を出力する音源出力部と、を備えた照明装置において、制御手段によるランプが不点灯の場合でも設定時刻との関連をもって音源出力部が動作するようにしたものである。
【００１２】
請求項２の発明は、請求項１に記載の照明装置において、ランプの不点灯を検出するランプ異常検出部をさらに備え、音源出力部は、ランプ異常検出部の出力を基にランプが不点灯の場合に音を出力するものである。
【００１３】
請求項３の発明は、請求項２に記載の照明装置において、ランプ異常検出部は、ランプからの光出力を検出してランプの不点灯を検出し、ランプ異常検出部及び音源出力部は、ランプの点灯、又は消灯を遠隔操作するためのリモコン送信器に設けられているものである。
【００１４】
請求項４の発明は、請求項２又は請求項３に記載の照明装置において、音源出力部は、ランプが不点灯の場合に、ランプが正常点灯する場合に出力予定の音量よりも大きい音量で音を出力するものである。
【００１５】
請求項５の発明は、請求項２又は請求項３に記載の照明装置において、音源出力部は、ランプが不点灯の場合に、ランプが正常点灯する場合に出力予定の音の出力時間よりも長く音を出力するものである。
【００１６】
請求項６の発明は、ランプの光出力を設定時刻に上昇させることに関連して他機器の動作を制御する照明装置において、ランプが不点灯の場合でも他機器が動作するようにしたものである。
【００１７】
請求項７の発明は、請求項１乃至請求項６のいずれかに記載の照明装置を有してなる照明器具である。
【発明の効果】
【００１８】
請求項１の発明によれば、ランプが寿命末期などで設定時刻に点灯しない場合でも、音源出力部から設定時刻との関連をもって音が出力され、従って、その音刺激によって、ランプによる光刺激が機能しないときでも、就寝者を設定時刻に目覚めさせることができる。
【００１９】
請求項２の発明によれば、音源出力部の音出力がオフ設定されている場合でも、ランプが寿命末期などで設定時刻に点灯しないときには、ランプ異常検出部の出力により音源出力部から音が出力され、従って、その音刺激によって、ランプによる光刺激が機能しないときでも、就寝者を設定時刻に目覚めさせることができる。
【００２０】
請求項３の発明によれば、音出力をオフ設定にしておくことにより、ランプが寿命末期などで設定時刻に点灯しない場合にだけリモコン送信器の音源出力部から音が出力されるため、リモコン送信器の電池寿命が短くなることがない。また、ランプ異常検出部の出力によりリモコン送信器の音源出力部から音が出力されるため、リモコン送信器は、時計手段を必要とせず、大型化することがない。
【００２１】
請求項４の発明によれば、ランプが寿命末期などで設定時刻に点灯しないときには、ランプによる光刺激が機能しない分、ランプが正常点灯する場合よりも大きい音量で音源出力部から音が出力され、従って、その大きい音刺激によって、ランプによる光刺激が機能しないときでも、より確実に就寝者を設定時刻に目覚めさせることができる。
【００２２】
請求項５の発明によれば、ランプが寿命末期などで設定時刻に点灯しないときには、ランプによる光刺激が機能しない分、ランプが正常点灯する場合よりも長く音源出力部から音が出力され、従って、その長い時間の音刺激によって、ランプによる光刺激が機能しないときでも、より確実に就寝者を設定時刻に目覚めさせることができる。
【００２３】
請求項６の発明によれば、ランプが寿命末期などで設定時刻に点灯しない場合でも、他機器が設定時刻との関連をもって動作し、従って、その他機器の動作による刺激によって、ランプによる光刺激が機能しないときでも、就寝者を設定時刻に目覚めさせることができる。
【００２４】
請求項７の発明によれば、照明器具において、請求項１乃至請求項６と同様の作用、効果が得られる。
【発明を実施するための最良の形態】
【００２５】
以下、本発明を具体化した実施形態による照明装置について図面を参照して説明する。
＜第１の実施形態＞
まず、第１の実施形態について説明する。図１は、第１の実施形態に係る照明装置の構成を示す。照明装置１は、照明光による刺激及び音による刺激によって就寝者の起床を促す機能を有しており、点灯回路２と、照明光、音源制御部３と、制御電源部４と、リモコン送信器５とを備えている。
【００２６】
点灯回路２は、照明光を出力するランプ２１と、商用電源６から得られる交流電圧を高周波電圧に変換してランプ２１に供給するインバータ部２２と、インバータ部２２を制御するインバータ制御部２３と、ランプ２１の寿命末期などの異常を検出する異常検出部２４とを有している。
【００２７】
照明光、音源制御部３は、リモコン送信器５からの信号を受ける受光部３１と、音を出力する音源出力部３２と、就寝者の起床を促す起床プログラム動作を制御する起床プログラム制御部３３とを有している。起床プログラム動作とは、予め設定された時刻に就寝者に起床を促すために、ランプ２１の照明光による光刺激や音源出力部３２の音出力による音刺激、又はそれら光刺激と音刺激の両方を就寝者に与える動作である。
【００２８】
制御電源部４は、インバータ制御部２３、及び照明光、音源制御部３に制御電圧を供給する。リモコン送信器５は、照明装置１の動作を遠隔操作するものであり、ランプ２１の点灯、調光、消灯や、音源出力部３２からの音出力の停止等を行うための制御ボタン５１と、起床プログラム動作の設定を行うためのプログラム設定ボタン５２及び液晶表示パネル５３と、制御ボタン５１及びプログラム設定ボタン５２の操作に応じて信号を送信するための送信用ＬＥＤ５４とを有している。
【００２９】
図２（ａ）（ｂ）は、上記照明装置１を有してなる照明器具１０の構成を示す。照明器具１０は、上記照明装置１に加え、反射板１１と、セード１２とを備えている。照明装置１の点灯回路２、照明光、音源制御部３、及び制御電源部４は、反射板１１内に配置されており、点灯回路２のランプ（環形蛍光灯）２１及び照明光、音源制御部３の受光部３１が反射板１１から露出して設けられている。反射板１１は、照明装置１のランプ２１から放射された光を反射するものである。セード１２は、ランプ２１からの光を透過させるものであり、ランプ２１の保護、ランプ２１から放射される光の方向や波長の制御、及び装飾のために設けられている。
【００３０】
図３は、上記点灯回路２のインバータ部２２の構成を示す。インバータ部２２は、商用電源６から得られる交流電圧を直流電圧に変換出力する昇圧チョッパ回路２２ａと、昇圧チョッパ回路２２ａから出力される直流電圧を交流の高周波電圧に変換してランプ２１に供給するハーフブリッジインバータ回路２２ｂとを含んでいる。インバータ制御部２３は、ハーフブリッジインバータ回路２２ｂへの駆動周波数を変化させて、ランプ２１の予熱、始動、点灯、調光を制御する。これらは一般的な構成であり、詳細な説明は省略する。
【００３１】
図４は、上記点灯回路２の異常検出部２４の構成を示す。異常検出部２４は、インバータ部２２のトランスＴ１（図３参照）の副巻線に接続されており、トランスＴ１を介して得られるランプ２１の電圧の相似的な波形をダイオード２４ａにて整流し、抵抗２４ｂ、２４ｃにて分圧された電位をコンパレータ２４ｄにて基準電圧と比較して、その比較結果をインバータ制御部２３に出力する。インバータ制御部２３は、異常検出部２４から得られる信号を基に、ランプ異常の際には、発振を停止して、インバータ部２２のハーフブリッジインバータ回路２２ｂへの駆動を停止させる。
【００３２】
上記照明光、音源制御部３の受光部３１は、リモコン送信器５からの信号（点灯、消灯、増光や減光（調光）、音出力の停止、起床プログラム動作の設定等）を受けて、その信号をインバータ制御部２３、音源出力部３２、及び起床プログラム制御部３３に伝達する。
【００３３】
上記点灯回路２のインバータ制御部２３は、受光部３１から点灯、消灯、増光や減光（調光）の信号を受けると、その信号のとおりにランプ２１の点灯、消灯などを制御する。また、インバータ制御部２３は、起床プログラム制御部３３からの制御信号を受けると、起床プログラム動作によるランプ２１の点灯動作を制御する。
【００３４】
上記照明光、音源制御部３の音源出力部３２は、起床プログラム制御部３３からの制御信号を受けると、起床プログラム動作による音の出力動作を行う。また、音源出力部３２は、受光部３１から音出力停止の信号を受けると、音の出力動作を停止する。
【００３５】
上記照明光、音源制御部３の起床プログラム制御部３３は、受光部３１から起床時刻を含む起床プログラム動作の設定に関する信号を受けると、その信号に応じた起床プログラム動作を設定する。つまり、起床プログラム動作は、リモコン送信器５のプログラム設定ボタン５２により、起床時刻の設定を含む起床プログラム動作の設定操作を行うことにより設定される。そして、起床プログラム制御部３３は、設定された起床プログラム動作を実行制御、すなわち設定された起床時刻に就寝者を起床させるように、インバータ制御部２３及び音源出力部３２に制御信号を出力して、ランプ２１及び音源出力部３２の動作を制御する。
【００３６】
上記制御電源部４は、降圧チョッパ回路などにより構成されており、インバータ部２２の昇圧チョッパ回路２２ａの出力となるコンデンサＣｏ（図３参照）の両端出力の直流電圧を、降圧チョッパ回路などで低電圧に変換することにより、インバータ制御部２３及び照明光、音源制御部３の制御電圧を得るようになっている。従って、インバータ部２２の昇圧チョッパ回路２２ａやハーフブリッジインバータ回路２２ｂが動作を停止していても、商用電源６から得られる交流電圧をコンデンサＣｏで整流平滑した電圧が制御電源部４の降圧チョッパ回路の電源となり、これにより、制御電源部４は、インバータ部２２の動作状態に関わらず、インバータ制御部２３及び照明光、音源制御部３の制御電圧を得て、その制御電圧をインバータ制御部２３及び照明光、音源制御部３に供給することが可能になっている。
【００３７】
図５（ａ）（ｂ）は、ランプ２１が正常に点灯する場合の起床プログラム動作を示す。ランプ２１が正常に点灯する場合、次のように起床プログラム動作が行われる。起床プログラム制御部３３は、リモコン送信器５により予め設定された起床時刻と現在時刻を比較し、起床時刻の一定時間前（例えば３０分前）になると、起床プログラム動作による照明開始を指示する制御信号をインバータ制御部２３に出力する。これにより、インバータ制御部２３は、インバータ部２２を制御して、起床時刻の一定時間前（例えば３０分前）に、起床プログラム動作による照明動作を開始させる（図５（ａ））。
【００３８】
このとき、インバータ制御部２３は、まず、ランプ２１を低出力（低照度）で点灯させ、そして、時間の経過と共にランプ２１の出力（照度）を低出力（低照度）から、中出力（中照度）、高出力（高照度）へと徐々に上昇させ、起床時刻にランプ２１の出力が最大（通常点灯の照度）となるように、ランプ２１の光出力を制御する。
【００３９】
また、起床プログラム制御部３３は、起床時刻の一定時間前（例えば１０分前）になると、起床プログラム動作による音の出力開始を指示する制御信号を音源出力部３２に出力する。これにより、音源出力部３２は、ランプ２１の光出力の制御に関連して、起床時刻の一定時間前（例えば１０分前）に、起床プログラム動作による音の出力動作を開始する（図５（ｂ））。
【００４０】
このとき、音源出力部３２は、まず、「小鳥のさえずり」や「音楽」などの音を小さい音量で出力し、時間の経過と共にこれらの音量を徐々に上昇させ、起床時刻になると、アラーム音などを出力する。なお、音の出力設定がオフ（音を出力しない）に設定されている場合には、音源出力部３２は、これら起床プログラム動作による音の出力を行わない。
【００４１】
このように、ランプ２１が正常に点灯する場合には、起床時刻前からランプ２１が低照度で点灯を開始し、起床時刻までランプ２１が徐々に光出力を増加することにより、就寝者は、このような光刺激の変化によって、深い睡眠状態から浅い睡眠状態へと導かれる。また、起床時刻前から音源出力部３２が「小鳥のさえずり」や「音楽」などの音を出力することにより、就寝者がよりリラックスできるような雰囲気が演出される。そして、起床時刻になると、ランプ２１が高照度で点灯すると共に、音源出力部３２がアラーム音を出力することにより、就寝者は、それらの光刺激及び音刺激によって、睡眠から目覚めへと導かれる。
【００４２】
図５（ｃ）（ｄ）は、ランプ２１が寿命末期などで点灯しない場合の起床プログラム動作を示す。ランプ２１が寿命末期などで点灯しない場合、次のように起床プログラム動作が行われる。ランプ２１が正常に点灯する場合と同様に予め設定された起床時刻の一定時間前（例えば３０分前）になると起床プログラム制御部３３が起床プログラム動作による照明開始を指示する制御信号をインバータ制御部２３に出力するものの、ランプ２１は点灯せず、照明光は出力されない（図５（ｃ））。このとき、インバータ制御部２３は、異常検出部２４からの出力を受けて発振を停止し、インバータ部２２の駆動を停止させる。
【００４３】
一方、上述のようにインバータ部２２の動作状態に関わらず制御電源部４から照明光、音源制御部３に制御電圧が供給されるため、照明光、音源制御部３の起床プログラム制御部３３は、ランプ２１が正常に点灯するときと同様に、起床時刻の一定時間前（例えば１０分前）になると、起床プログラム動作による音の出力開始を指示する制御信号を音源出力部３２に出力する。これにより、音源出力部３２は、ランプ２１が正常に点灯するときと同様に、起床時刻との関連をもって予定時刻どおり（例えば起床時刻の１０分前）に、起床プログラム動作による音の出力動作を開始する（図５（ｄ））。
【００４４】
このとき、音源出力部３２は、ランプ２１が正常に点灯するときと同様に、まず、「小鳥のさえずり」や「音楽」などの音を小さい音量で出力し、時間の経過と共にこれらの音量を徐々に上昇させ、起床時刻になると、アラーム音などを出力する。なお、音の出力設定がオフ（音を出力しない）に設定されている場合には、音源出力部３２は、これら起床プログラム動作による音の出力を行わない。
【００４５】
このように、ランプ２１が寿命末期などで点灯しない場合には、起床時刻前になってもランプ２１が点灯しないため、就寝者が光刺激によって浅い睡眠状態へと導かれることはない。しかし、ランプ２１が正常に点灯する場合と同様に起床時刻前から音源出力部３２が「小鳥のさえずり」や「音楽」などの音を出力することにより、就寝者がよりリラックスできるような雰囲気が演出される。そして、起床時刻になると、ランプ２１は点灯しないものの、ランプ２１が正常に点灯する場合と同様に音源出力部３２がアラーム音を出力することにより、就寝者は、その音刺激によって睡眠から目覚めへと導かれる。
【００４６】
このような構成の照明装置１によれば、ランプ２１が寿命末期などで設定時刻に点灯しない場合でも、音源出力部３２から設定時刻との関連をもって音が出力されるため、その音刺激によって、ランプ２１による光刺激が機能しないときでも、就寝者を設定時刻に目覚めさせることができる。
【００４７】
なお、上記実施形態において、異常検出部２４は、ランプ２１の電圧を検出する手段を用いたものに限られず、フィラメントの断線を検出する手段や、ランプ２１の半波放電を検出する手段を用いたものであってもよく、また、これらを組合せて用いたものであってもよい。ランプ２１としては、環形蛍光灯（放電灯）に限られず、白熱電球（ＩＬ）やＬＥＤなどであってもよい。ランプ２１が寿命末期などで起床時刻前に点灯しない場合、就寝者は暗い中で目覚めることになるため、音源出力部３２から「ランプを交換して下さい」「ランプが寿命です」などの音声を出力して、使用者の不安感を和らげるようにしてもよい。
【００４８】
＜第２の実施形態＞
次に、第２の実施形態について説明する。図６は、第２の実施形態に係る照明装置の構成を示す。本実施形態の照明装置１は、異常検出部２４からの出力信号がインバータ制御部２３に加えて音源出力部３２に与えられるようになっており、音源出力部３２は、起床プログラム制御部３３からの制御信号に加えて、異常検出部２４からの出力によって動作するようになっている。本実施形態における他の構成については、上記第１の実施形態と同様である。
【００４９】
図７（ａ）（ｂ）は、本実施形態におけるランプ２１が寿命末期などで点灯しない場合の起床プログラム動作を示す（ランプ２１が正常に点灯する場合の起床プログラム動作は、上記第１の実施形態と同様（上記図５（ａ）（ｂ）参照）である）。ランプ２１が寿命末期などで点灯しない場合、次のように起床プログラム動作が行われる。起床プログラム制御部３３は、上記第１の実施形態と同様に、予め設定された起床時刻の一定時間前（例えば３０分前）になると、起床プログラム制御部３３が起床プログラム動作による照明開始を指示する制御信号をインバータ制御部２３に出力するものの、ランプ２１は点灯せず、照明光は出力されない（図７（ａ））。
【００５０】
一方、音源出力部３２は、ランプ２１が寿命末期などで点灯しない場合には、起床プログラム制御部３３からの制御信号、及び異常検出部２４からのランプ不点灯の信号を受けて、音の出力設定がオン（音を出力する）、又はオフ（音を出力しない）の何れに設定されていても、起床時刻との関連をもって起床時刻の一定時間前（例えば１０分前）になると、起床プログラム動作による音の出力動作を開始する（図７（ｂ））。すなわち、音源出力部３２は、ランプ２１が寿命末期などで点灯しない場合には、音の出力設定がオンに設定されている場合は予定どおりに、音の出力設定がオフに設定されている場合は強制的に、起床プログラム動作による音の出力動作を開始する。
【００５１】
このとき、音源出力部３２は、ランプ２１が正常に点灯する場合と同様（上記第１の実施形態と同様）に、まず、「小鳥のさえずり」や「音楽」などの音を小さい音量で出力し、時間の経過と共にこれらの音量を徐々に上昇させ、起床時刻になると、アラーム音などを出力する。
【００５２】
また、音源出力部３２は、これらの音をランプ２１が正常点灯する場合に出力予定の音量（上記第１の実施形態における図５（ｂ）参照）よりも大きい音量で出力する。このようにするのは、本来、ランプ２１からの照明光による光刺激により就寝者を気持ちよく目覚めさせることを目的としており、ランプ２１が正常に点灯する場合の音源出力部３２からの出力音量は不快でない音量となっているため、ランプ２１が正常に点灯する場合の出力音量では、就寝者が目覚めない可能性があるためである。音源出力部３２が大きい音量で音を出力することは、元々の音源データのうち音量の大きいものを再生するか、又は、アンプ出力を変更することにより行われる。
【００５３】
このような構成の照明装置１によれば、音源出力部３２の音の出力設定がオフに設定されている場合でも、ランプ２１が寿命末期などで設定時刻に点灯しないときには、ランプ異常検出部２４の出力により音源出力部３２から音が出力されるため、その音刺激によって、ランプ２１による光刺激が機能しないときでも、就寝者を設定時刻に目覚めさせることができる。しかも、ランプ２１が寿命末期などで設定時刻に点灯しないときには、ランプ２１による光刺激が機能しない分、ランプ２１が正常点灯する場合よりも大きい音量で音源出力部３２から音が出力されるため、その大きい音刺激により、ランプ２１による光刺激が機能しないときでも、より確実に就寝者を設定時刻に目覚めさせることができる。
【００５４】
＜第３の実施形態＞
次に、第３の実施形態について説明する。本実施形態の照明装置は、ランプが寿命末期などで点灯しないときの起床プログラム動作が上記第２の実施形態と異なっている。本実施形態における他の構成については、上記第２の実施形態（上記図６に示した構成）と同様である。以下、上記図６に付した符号を引用して説明する。
【００５５】
図８（ａ）（ｂ）は、本実施形態におけるランプ２１が寿命末期などで点灯しない場合の起床プログラム動作を示す（ランプ２１が正常に点灯する場合の起床プログラム動作は、上記第２の実施形態と同様（上記図５（ａ）（ｂ）参照）である）。ランプ２１が寿命末期などで点灯しない場合、次のように起床プログラム動作が行われる。起床プログラム制御部３３は、上記第２の実施形態と同様に、予め設定された起床時刻の一定時間前（例えば３０分前）になると、起床プログラム制御部３３が起床プログラム動作による照明開始を指示する制御信号をインバータ制御部２３に出力するものの、ランプ２１は点灯せず、照明光は出力されない（図８（ａ））。
【００５６】
一方、音源出力部３２は、ランプ２１が寿命末期などで点灯しない場合には、上記第２の実施形態と同様に、起床プログラム制御部３３からの制御信号、及び異常検出部２４からのランプ不点灯の信号を受けて、音の出力設定がオン（音を出力する）、又はオフ（音を出力しない）の何れに設定されていても、起床時刻との関連をもって起床時刻の一定時間前（例えば１０分前）になると、起床プログラム動作による音の出力動作を開始する（図８（ｂ））。
【００５７】
このとき、音源出力部３２は、ランプ２１が正常に点灯する場合と同様（上記第１の実施形態と同様）に、まず、「小鳥のさえずり」や「音楽」などの音を小さい音量で出力し、時間の経過と共にこれらの音量を徐々に上昇させ、起床時刻になると、アラーム音などを出力する。
【００５８】
また、音源出力部３２は、このアラーム音をランプ２１が正常点灯する場合に出力予定の出力時間（上記第１の実施形態における図５（ｂ）参照）よりも長く出力する。このようにするのは、本来、ランプ２１からの照明光による光刺激により就寝者を気持ちよく目覚めさせることを目的としており、ランプ２１が正常に点灯する場合の音源出力部３２からの出力音量は不快でない音量となっているため、ランプ２１が正常に点灯する場合の音の出力時間では、就寝者が目覚めない可能性があるためである。
【００５９】
このような構成の照明装置１によれば、上記第２の実施形態と同様に、音源出力部３２の音の出力設定がオフに設定されている場合でも、ランプ２１が寿命末期などで設定時刻に点灯しないときには、ランプ異常検出部２４の出力により音源出力部３２から音が出力されるため、その音刺激によって、ランプ２１による光刺激が機能しないときでも、就寝者を設定時刻に目覚めさせることができる。しかも、ランプ２１が寿命末期などで設定時刻に点灯しないときには、ランプ２１による光刺激が機能しない分、ランプ２１が正常点灯する場合よりも長く音源出力部３２から音が出力されるため、その長い時間の音刺激により、ランプ２１による光刺激が機能しないときでも、より確実に就寝者を設定時刻に目覚めさせることができる。
【００６０】
＜第４の実施形態＞
次に、第４の実施形態について説明する。図９は、第４の実施形態に係る照明装置の構成を示す。本実施形態の照明装置１は、リモコン送信器５に、異常検出部５７及び音源出力部５８が設けられている。本実施形態における他の構成については、上記第１の実施形態（上記図１に示した構成）と同様である。以下、上記図１に付した符号を引用して説明する。
【００６１】
照明装置１は、上記第１の実施形態と同様に、点灯回路２、照明光、音源制御部３、及び制御電源部４が反射板１１内に配置され、点灯回路２のランプ（環形蛍光灯）２１及び照明光、音源制御部３の受光部３１が反射板１１から露出して設けられて、照明器具とされる。
【００６２】
図１０は、リモコン送信器５の構成を示す。リモコン送信器５は、上記ランプ異常検出部５７及び音源出力部５８に加え、上記第１の実施形態と同様の制御ボタン５１、プログラム設定ボタン５２、液晶表示パネル５３、及び送信用ＬＥＤ５４を有している。異常検出部５７は、点灯回路２のランプ異常検出部２４とは別に設けられたものであり、照度センサ等から成り、ランプ２１からの光出力が基準照度に達しているか否かでランプ２１の不点灯を検出する。音源出力部５８は、照明光、音源制御部３の音源出力部３２とは別に設けられたものであり、スピーカ等から成り、リモコン送信器５に設けられた異常検出部５７からの出力によって音を出力する。
【００６３】
本実施形態では、ランプ２１が正常に点灯する場合、上記第１の実施形態と同様に起床プログラム動作が行われる（リモコン送信器５の音源出力部５８は音を出力しない）。
【００６４】
また、本実施形態では、ランプ２１が寿命末期などで点灯しない場合、次のように起床プログラム動作が行われる。起床プログラム制御部３３は、上記第１の実施形態と同様に、予め設定された起床時刻の一定時間前（例えば３０分前）になると、起床プログラム制御部３３が起床プログラム動作による照明開始を指示する制御信号をインバータ制御部２３に出力するものの、ランプ２１は点灯せず、照明光は出力されない。
【００６５】
一方、起床プログラム制御部３３は、上記第１の実施形態と同様に、起床時刻の一定時間前（例えば１０分前）になると、起床プログラム動作による音の出力開始を指示する制御信号を音源出力部３２に出力し、これにより、音源出力部３２は、ランプ２１が正常に点灯する場合と同様（上記第１の実施形態と同様）に、起床時刻との関連をもって予定時刻どおり（例えば起床時刻の１０分前）に、起床プログラム動作による音の出力動作を開始する。
【００６６】
このとき、音源出力部３２は、ランプ２１が正常に点灯する場合と同様（上記第１の実施形態と同様）に、まず、「小鳥のさえずり」や「音楽」などの音を小さい音量で出力し、時間の経過と共にこれらの音量を徐々に上昇させ、起床時刻になると、アラーム音などを出力する。
【００６７】
さらに、リモコン送信器５の異常検出部５７は、設定された起床時刻にランプ２１が点灯しないためランプ不点灯の信号を出力し、これにより、リモコン送信器５の音源出力部５８は、異常検出部５７からのランプ不点灯の信号を受けて、起床時刻になるとアラーム音などを出力する。
【００６８】
このような構成の照明装置１によれば、ランプ２１が寿命末期などで設定時刻に点灯しない場合でも、リモコン送信器５の音源出力部５８から設定時刻との関連をもって音が出力されるため、その音刺激によって、ランプ２１による光刺激が機能しないときでも、就寝者を設定時刻に目覚めさせることができる。しかも、リモコン送信器５の音源出力部５８による音刺激が照明光、音源制御部３の音源出力部３２による音刺激に加わることによって、より確実に就寝者を設定時刻に目覚めさせることができる。
【００６９】
また、リモコン送信器５の音源出力部５８の音の出力設定をオフ（音を出力しない）に設定しておくことにより、リモコン送信器５の音源出力部５８はランプ２１が寿命末期などで設定時刻に点灯しない場合にだけ音を出力するため、リモコン送信器５の電池寿命が短くなることがない。さらに、リモコン送信器５の音源出力部５８はリモコン送信器５のランプ異常検出部５７の出力を受けて音を出力するため、リモコン送信器５は、時計手段を必要とせず、大型化することがない。
【００７０】
なお、上記実施形態において、照明光、音源制御部３の音源出力部３２は必ずしも必要ではなく、ランプ２１の光刺激とリモコン送信器５の音源出力部５８の音刺激によって、就寝者を目覚めさせるようにしてもよい。この場合、リモコン送信器５の音源出力部５８は、起床時刻の一定時間前（例えば１０分前）になると、まず、「小鳥のさえずり」や「音楽」などの音を小さい音量で出力し、時間の経過と共にこれらの音量を徐々に上昇させ、起床時刻になると、アラーム音などを出力するようにしてもよい。また、点灯回路２の異常検出部２４は必ずしも必要ではなく、リモコン送信器５の異常検出部５７で検出したランプ不点灯の情報を、リモコン送信器５から照明光、音源制御部３に送信するようにしてもよい。
【００７１】
＜第５の実施形態＞
次に、第５の実施形態について説明する。図１１は、第５の実施形態に係る照明装置の構成を示す。本実施形態の照明装置１は、起床プログラム制御部３３からの制御信号がインバータ制御部２３及び音源出力部３２に加えて他機器であるＴＶ９０に与えられると共に、異常検出部２４からの出力信号がインバータ制御部２３に加えて音源出力部３２及びＴＶ９０に与えられるようになっている。そして、音源出力部３２は、起床プログラム制御部３３からの制御信号に加えて、異常検出部２４からの出力によって動作するようになっており、ＴＶ９０は、起床プログラム制御部３３からの制御信号及び異常検出部２４からの出力によって動作するようになっている。本実施形態における他の構成については、上記第１の実施形態と同様である。
【００７２】
本実施形態では、ランプ２１が正常に点灯する場合、次のように起床プログラム動作が行われる。起床プログラム制御部３３は、上記第１の実施形態と同様に、予め設定された起床時刻の一定時間前（例えば３０分前）になると、起床プログラム動作による照明開始を指示する制御信号をインバータ制御部２３に出力し、これにより、インバータ制御部２３は、上記第１の実施形態と同様に、インバータ部２２を制御して、起床時刻の一定時間前（例えば３０分前）に、起床プログラム動作による照明動作を開始させる。
【００７３】
このとき、インバータ制御部２３は、上記第１の実施形態と同様に、まず、ランプ２１を低出力（低照度）で点灯させ、そして、時間の経過と共にランプ２１の出力（照度）を低出力（低照度）から、中出力（中照度）、高出力（高照度）へと徐々に上昇させ、起床時刻にランプ２１の出力が最大（通常点灯の照度）となるように、ランプ２１の光出力を制御する。
【００７４】
また、起床プログラム制御部３３は、上記第１の実施形態と同様に、起床時刻の一定時間前（例えば１０分前）になると、起床プログラム動作による音の出力開始を指示する制御信号を音源出力部３２に出力する。これにより、音源出力部３２は、上記第１の実施形態と同様に、ランプ２１の光出力の制御に関連して、起床時刻の一定時間前（例えば１０分前）に、起床プログラム動作による音の出力動作を開始する。
【００７５】
このとき、音源出力部３２は、上記第１の実施形態と同様に、まず、「小鳥のさえずり」や「音楽」などの音を小さい音量で出力し、時間の経過と共にこれらの音量を徐々に上昇させ、起床時刻になると、アラーム音などを出力する。なお、音の出力設定がオフ（音を出力しない）に設定されている場合には、音源出力部３２は、これら起床プログラム動作による音の出力を行わない。
【００７６】
さらに、起床プログラム制御部３３は、起床時刻になると、起床プログラム動作によるＴＶ９０の動作開始を指示する制御信号をＴＶ９０に出力する。これにより、ＴＶ９０は、ランプ２１の光出力の制御に関連して、起床時刻になると動作を開始する。なお、ＴＶ９０の動作設定がオフ（起床時刻にＴＶ９０の動作を開始しない）に設定されている場合には、ＴＶ９０は、起床プログラム動作による動作開始を行わない。
【００７７】
このように、ランプ２１が正常に点灯する場合には、起床時刻前からランプ２１が低照度で点灯を開始し、起床時刻までランプ２１が徐々に光出力を増加することにより、就寝者は、このような光刺激の変化によって、深い睡眠状態から浅い睡眠状態へと導かれる。また、起床時刻前から音源出力部３２が「小鳥のさえずり」や「音楽」などの音を出力することにより、就寝者がよりリラックスできるような雰囲気が演出される。そして、起床時刻になると、ランプ２１が高照度で点灯し、音源出力部３２がアラーム音を出力すると共にＴＶ９０が動作することにより、就寝者は、ランプ２１による光刺激、音源出力部３２による音刺激、及びＴＶ９０の動作による光刺激や音刺激によって、睡眠から目覚めへと導かれる。
【００７８】
また、本実施形態では、ランプ２１が寿命末期などで点灯しない場合、次のように起床プログラム動作が行われる。起床プログラム制御部３３は、ランプ２１が正常に点灯する場合と同様に予め設定された起床時刻の一定時間前（例えば３０分前）になると起床プログラム制御部３３が起床プログラム動作による照明開始を指示する制御信号をインバータ制御部２３に出力するものの、ランプ２１は点灯せず、照明光は出力されない。
【００７９】
一方、音源出力部３２は、起床プログラム制御部３３からの制御信号、及び異常検出部２４からのランプ不点灯の信号を受けて、音の出力設定がオン（音を出力する）、又はオフ（音を出力しない）の何れに設定されていても、起床時刻との関連をもって起床時刻の一定時間前（例えば１０分前）になると、起床プログラム動作による音の出力動作を開始する。すなわち、音源出力部３２は、ランプ２１が寿命末期などで点灯しない場合には、音の出力設定がオンに設定されている場合は予定どおりに、音の出力設定がオフに設定されている場合は強制的に、起床プログラム動作による音の出力動作を開始する。
【００８０】
このとき、音源出力部３２は、ランプ２１が正常に点灯する場合と同様に、まず、「小鳥のさえずり」や「音楽」などの音を小さい音量で出力し、時間の経過と共にこれらの音量を徐々に上昇させ、起床時刻になると、アラーム音などを出力する。
【００８１】
さらに、ＴＶ９０は、起床プログラム制御部３３からの制御信号、及び異常検出部２４からのランプ不点灯の信号を受けて、ＴＶ９０の動作設定がオン（起床時刻にＴＶ９０の動作を開始する）、又はオフ（起床時刻にＴＶ９０の動作を開始しない）の何れに設定されていても、起床時刻との関連をもって起床時刻になると、動作を開始する。すなわち、ＴＶ９０は、ＴＶ９０の動作設定がオンに設定されている場合は予定どおりに、ＴＶ９０の動作設定がオフに設定されている場合は強制的に、起床プログラム動作による動作を開始する。
【００８２】
このように、ランプ２１が寿命末期などで点灯しない場合には、起床時刻前になってもランプ２１が点灯しないため、就寝者が光刺激によって浅い睡眠状態へと導かれることはない。しかし、ランプ２１が正常に点灯する場合と同様に起床時刻前から音源出力部３２が「小鳥のさえずり」や「音楽」などの音を出力することにより、就寝者がよりリラックスできるような雰囲気が演出される。そして、起床時刻になると、ランプ２１は点灯しないものの、音源出力部３２がアラーム音を出力すると共にＴＶ９０が動作することにより、就寝者は、音源出力部３２による音刺激、及びＴＶ９０の動作による光刺激や音刺激によって、睡眠から目覚めへと導かれる。
【００８３】
このような構成の照明装置１によれば、ランプ２１が寿命末期などで設定時刻に点灯しない場合でも、他機器であるＴＶ９０が設定時刻との関連をもって動作するため、その動作刺激によって、ランプ２１による光刺激が機能しないときでも、就寝者を設定時刻に目覚めさせることができる。しかも、ＴＶ９０の動作刺激が音源出力部３２による音刺激に加わることによって、より確実に就寝者を設定時刻に目覚めさせることができる。
【００８４】
なお、上記実施形態において、音源出力部３２は必ずしも必要ではなく、ランプ２１の光刺激と他機器であるＴＶ９０の動作刺激によって、就寝者を目覚めさせるようにしてもよい。ＴＶ９０は、ランプ２１が設定時刻に正常に点灯する場合は動作させず、ランプ２１が寿命末期などで設定時刻に点灯しない場合にだけ動作させるようにしてもよい。他機器としては、ＴＶ９０に限られず、ＡＶ機器などであってもよい。
【図面の簡単な説明】
【００８５】
【図１】本発明の一実施形態に係る照明装置の構成を示す電気的ブロック構成図。
【図２】（ａ）は同照明装置を有してなる照明器具の構成を示す平面図、（ｂ）は同側面図。
【図３】同照明装置の点灯回路のインバータ部の回路構成を示す図。
【図４】同照明装置の点灯回路の異常検出部の回路構成を示す図。
【図５】（ａ）は同照明装置のランプが正常に点灯する場合の起床プログラム動作におけるランプの動作を示す図、（ｂ）は同音源出力部の動作を示す図、（ｃ）はランプが正常に点灯しない場合の起床プログラム動作におけるランプの動作を示す図、（ｄ）は同音源出力部の動作を示す図。
【図６】本発明の別の実施形態に係る照明装置の構成を示す電気的ブロック構成図。
【図７】（ａ）は同照明装置のランプが正常に点灯しない場合の起床プログラム動作におけるランプの動作を示す図、（ｂ）は同音源出力部の動作を示す図。
【図８】（ａ）は本発明のさらに別の実施形態に係る照明装置のランプが正常に点灯しない場合の起床プログラム動作におけるランプの動作を示す図、（ｂ）は同音源出力部の動作を示す図。
【図９】本発明のさらに別の実施形態に係る照明装置の構成を示す電気的ブロック構成図。
【図１０】同照明装置のリモコン送信器の構成を示す斜視図。
【図１１】本発明のさらに別の実施形態に係る照明装置の構成を示す電気的ブロック構成図。
【図１２】従来の照明装置の構成を示す電気的ブロック構成図。
【図１３】（ａ）は従来の照明装置の照明動作を示す図、（ｂ）は同照明動作における白熱電球の動作を示す図、（ｃ）は同照明動作における蛍光灯の動作を示す図、（ｄ）は受光部のリモコン信号の受信タイミングを示す図。
【図１４】別の従来の照明装置の構成を示す電気的ブロック構成図。
【符号の説明】
【００８６】
１    照明装置
２    点灯回路
３    照明光、音源制御部
４    制御電源部
５    リモコン送信器
１０    照明器具
１１    反射板
１２    セード
２１    ランプ
２２    インバータ部
２３    インバータ制御部
２４    異常検出部
３１    受光部
３２    音源出力部
３２    起床プログラム制御部
５１    制御ボタン
５２    プログラム設定ボタン
５３    液晶表示パネル
５４    送信用ＬＥＤ
５７    異常検出部
５８    音源出力部
９０    他機器
【図１】
2006269092.tif 000003
【図２】
2006269092.tif 000004
【図３】
2006269092.tif 000005
【図４】
2006269092.tif 000006
【図５】
2006269092.tif 000007
【図６】
2006269092.tif 000008
【図７】
2006269092.tif 000009
【図８】
2006269092.tif 000010
【図９】
2006269092.tif 000011
【図１０】
2006269092.tif 000012
【図１１】
2006269092.tif 000013
【図１２】
2006269092.tif 000014
【図１３】
2006269092.tif 000015
【図１４】
2006269092.tif 000016